(57)【要約】【課題】取得済みの名刺情報の第三者への送信を防止することができる名刺情報交換システム等を提供すること【解決手段】移動通信端末２０の本人情報取得手段は、ユーザ識別情報を名刺管理サーバ装置５０に送信してその移動通信端末のユーザの名刺情報を受信する。このとき、受信した名刺情報は、ユーザ識別情報と対応付けて名刺情報記憶部に記憶する。また、受信したユーザ識別情報は、登録済みユーザ識別情報記憶部にも記憶しておく。名刺情報交換手段は、他の移動通信端末との間で名刺情報を送受信し名刺情報を交換する。このとき、名刺情報交換手段は、登録済みユーザ識別情報記憶部に記憶されたその端末のユーザ本人のユーザ識別情報を検索キーとしてユーザ情報記憶部からユーザ本人の名刺情報を抽出し、この名刺情報を他の移動通信端末に送信する。【選択図】図１
2007249487.tif 000002
【特許請求の範囲】
【請求項１】
ユーザにより携行される複数の移動通信端末とこの移動通信端末とネットワークを介して通信を行う名刺管理サーバ装置とを備えた名刺交換システムにおいて、
前記名刺管理サーバ装置は、
前記移動通信端末のユーザの名刺情報と前記ユーザを識別するユーザ識別情報とを対応付けて記憶するデータベースにアクセスするデータベースアクセス手段と、
前記ユーザの前記名刺情報の入力を受け付け、前記ユーザ識別情報を生成し、このユーザ識別情報と前記入力された名刺情報とを対応付けて前記データベースに登録する名刺情報登録手段と、
前記移動通信端末から前記ユーザの前記ユーザ識別情報を含む本人情報送信要求を受信したときに作動し、前記受信したユーザ識別情報に対応する前記名刺情報を前記データベースから読み出して要求元の前記移動通信端末に送信する本人情報送信手段とを備え、
前記移動通信端末は、
前記名刺情報と前記ユーザ識別情報とを対応付けて記憶する名刺情報記憶部と、
前記名刺管理サーバ装置に前記本人情報送信要求を送信し、この要求に応じて前記名刺管理サーバ装置から送信された前記名刺情報と前記識別情報を前記名刺情報記憶部に記憶し、前記名刺管理サーバから送信されたユーザ識別情報を登録済みユーザ識別情報記憶部に記憶する本人情報取得手段と、
他の移動通信端末からその移動通信端末のユーザの前記名刺情報と前記ユーザ識別情報を受信して前記ユーザ情報記憶部に記憶し、前記登録済みユーザ識別情報記憶部に記憶された前記ユーザ識別情報に対応する前記名刺情報を前記名刺情報記憶部から抽出し、この抽出した名刺情報を前記他の移動通信端末に送信する名刺情報交換手段とを備えたことを特徴とした名刺交換システム。
【請求項２】
前記名刺情報登録手段は、前記ユーザが使用するユーザ端末から送信された前記名刺情報を入力として受け付け、生成した前記ユーザ情報を前記ユーザ端末に送信することを特徴とした請求項１に記載の名刺交換システム。
【請求項３】
前記名刺情報交換手段は、近距離無線通信手段により前記他の端末装置と直接接続して前記名刺情報の送受信を行うことを特徴とした請求項１または請求項２に記載の名刺交換システム。
【請求項４】
前記名刺情報登録手段は、前記名刺情報の更新状況を示すリビジョン番号を生成して前記名刺情報と対応付けて前記データベースに登録し、
前記本人情報送信手段は、前記リビジョン番号を前記要求元の移動通信端末に送信し、
前記名刺管理サーバ装置は、
前記データベースに登録済みの前記名刺情報についてこの情報を更新する新たな名刺情報の入力を受け付け、前記データベースに登録されている前記名刺情報を更新すると共に更新した前記名刺情報の前記リビジョン番号を所定の増分値だけ増加させる名刺情報更新手段と、
前記移動通信端末から前記名刺情報記憶部に記憶されている名刺情報に対応する前記ユーザ識別情報と前記リビジョン番号を含む最新情報送信要求を受信したときに作動し、前記受信したリビジョン番号と前記受信したユーザ識別情報に対応する前記データベースに登録されているリビジョン番号が異なる場合に前記受信したユーザ識別情報に対応する前記名刺情報を前記データベースから読み出して前記要求元の移動通信端末に送信する最新情報送信手段とを備え、
前記移動通信端末は、
前記最新情報送信要求を前記名刺管理サーバ装置に送信し、この要求に応じて前記名刺管理サーバ装置が送信した前記名刺情報と前記リビジョン番号を受信し、これらの情報を前記名刺情報記憶部に記憶する最新情報取得手段を備えたことを特徴とした請求項１ないし請求項３のいずれかひとつに記載の名刺交換システム。
【請求項５】
前記最新情報送信手段は、前記ユーザが使用するユーザ端末から送信された前記名刺情報を入力として受け付けることを特徴とした請求項４に記載の名刺交換システム。
【請求項６】
前記データベースには、前記ユーザ毎に予め定められた認証情報が前記ユーザ識別情報と対応付けて記憶され、
前記名刺情報更新要求には、前記ユーザの前記認証情報が含まれ、
前記名刺情報更新手段は、受信した前記認証情報と受信したユーザ識別情報に対応する前記データベースに登録されている前記認証情報が一致する場合に前記名刺情報の更新を実行することを特徴とした請求項４または請求項５に記載の名刺交換システム。
【請求項７】
ユーザにより携行される複数の移動通信端末とこの移動通信端末とネットワークを介して通信を行う名刺管理サーバ装置による名刺交換方法において、
前記名刺管理サーバ装置が前記移動通信端末のユーザの名刺情報の入力を受け付け、前記ユーザを識別するユーザ識別情報を生成し、このユーザ識別情報と前記入力された名刺情報とを対応付けてデータベースに登録する名刺情報登録ステップと、
前記移動通信端末が、前記名刺管理サーバ装置に前記ユーザ識別情報を含む本人情報送信要求を送信し、この要求に応じて前記名刺管理サーバ装置が、前記受信したユーザ識別情報に対応する前記名刺情報を前記データベースから読み出して要求元の前記移動通信端末に送信し、これらの情報を前記移動通信端末で受信し、前記名刺情報と前記識別情報を前記移動通信端末の名刺情報記憶部に記憶し、ユーザ識別情報を前記移動通信端末の登録済みユーザ識別情報記憶部に記憶する本人情報取得ステップと、
前記移動通信端末が、他の移動通信端末からその移動通信端末のユーザの前記名刺情報と前記ユーザ識別情報を受信して前記ユーザ情報記憶部に記憶し、前記登録済みユーザ識別情報記憶部に記憶された前記ユーザ識別情報に対応する前記名刺情報を前記名刺情報記憶部から抽出し、この抽出した名刺情報を前記他の移動通信端末に送信する名刺情報交換ステップとを備えたことを特徴とした名刺交換方法。
【請求項８】
ユーザにより携行される複数の移動通信端末とこの移動通信端末とネットワークを介して通信を行う名刺管理サーバ装置により名刺交換を行うためのプログラムにおいて、
コンピュータに、
前記名刺管理サーバ装置が前記移動通信端末のユーザの名刺情報の入力を受け付け、前記ユーザを識別するユーザ識別情報を生成し、このユーザ識別情報と前記入力された名刺情報とを対応付けてデータベースに登録する名刺情報登録機能と、
前記移動通信端末が、前記名刺管理サーバ装置に前記ユーザ識別情報を含む本人情報送信要求を送信し、この要求に応じて前記名刺管理サーバ装置が、前記受信したユーザ識別情報に対応する前記名刺情報を前記データベースから読み出して要求元の前記移動通信端末に送信し、これらの情報を前記移動通信端末で受信し、前記名刺情報と前記識別情報を前記移動通信端末の名刺情報記憶部に記憶し、ユーザ識別情報を前記移動通信端末の登録済みユーザ識別情報記憶部に記憶する本人情報取得機能と、
前記移動通信端末が、他の移動通信端末からその移動通信端末のユーザの前記名刺情報と前記ユーザ識別情報を受信して前記ユーザ情報記憶部に記憶し、前記登録済みユーザ識別情報記憶部に記憶された前記ユーザ識別情報に対応する前記名刺情報を前記名刺情報記憶部から抽出し、この抽出した名刺情報を前記他の移動通信端末に送信する名刺情報交換機能とを実行させることを特徴とした名刺交換プログラム。
【発明の詳細な説明】
【技術分野】
【０００１】
本発明は、名刺情報を交換するに技術に関し、特に取得済みの他人の名刺情報を第三者に送信することを防止する名刺交換システム等に関する。
【背景技術】
【０００２】
移動通信端末及びサーバ装置を利用した名刺に記載される情報（以下、「名刺情報」という）の交換技術としては、特許文献１に「名刺交換システム、移動通信端末及びサーバ装置」が提案されている。
【０００３】
この名刺交換システムでは、ユーザ所有のパーソナルコンピュータから名刺情報を集中的に管理している名刺管理サーバ装置に対し名刺情報の登録更新処理を行い、その後ユーザが携帯する移動通信端末から名刺管理サーバ装置に携帯電話番号を送信すると、ユーザ固有の名刺情報に対応する名刺閲覧用情報がパーソナルコンピュータに返信されてくる。
次に名刺交換処理において、この名刺閲覧用情報（氏名・コード情報・暗号鍵）をお互い交換した後、名刺情報の閲覧処理においてユーザが携帯する移動通信端末から名刺閲覧用情報を名刺管理サーバに送信すると対応する名刺情報が暗号化されて返信されてくる、その後ユーザはこの名刺情報を復号化し移動通信端末画面に表示する。
【０００４】
【特許文献１】特開２００４−３６２２６４号公報
【発明の開示】
【発明が解決しようとする課題】
【０００５】
しかし、上記の名刺交換にステムには、第三者が移動通信端末の設定画面から他人の携帯電話番号を入力送信した場合、本人認証のためのチェック機構がない為、他人の名刺閲覧用情報（氏名・コード情報・暗号鍵）を入手することが出来るという問題があった。
また、あるユーザの移動通信端末に保存されている他のユーザの名刺情報が、当該他のユーザの同意なしに第三者に開示される恐れがあるという問題があった。
【０００６】
そこで、本発明は、取得済みの名刺情報の第三者への送信を防止することができる名刺情報交換システム等を提供することをその目的とする。
【課題を解決するための手段】
【０００７】
本発明の、名刺交換システムは、ユーザにより携行される複数の移動通信端末とこの移動通信端末とネットワークを介して通信を行う名刺管理サーバ装置とにより構成される。
名刺管理サーバ装置は、名刺情報とユーザ識別情報とを対応付けて記憶するデータベースにアクセスするデータベースアクセス手段と、ユーザの名刺情報の入力を受け付け、ユーザ識別情報を生成し、このユーザ識別情報と入力された名刺情報とを対応付けてデータベースに登録する名刺情報登録手段と、移動通信端末からユーザのユーザ識別情報を含む本人情報送信要求を受信したときに作動し、受信したユーザ識別情報に対応する名刺情報をデータベースから読み出して要求元の移動通信端末に送信する本人情報送信手段とを備えている。
移動通信端末は、名刺情報とユーザ識別情報とを対応付けて記憶する名刺情報記憶部と、名刺管理サーバ装置に本人情報送信要求を送信し、この要求に応じて名刺管理サーバ装置から送信された名刺情報と識別情報を名刺情報記憶部に記憶し、名刺管理サーバから送信されたユーザ識別情報を登録済みユーザ識別情報記憶部に記憶する本人情報取得手段と、他の移動通信端末からその移動通信装置のユーザの名刺情報とユーザ識別情報を受信してユーザ情報記憶部に記憶し、登録済みユーザ識別情報記憶部に記憶されたユーザ識別情報に対応する名刺情報を名刺情報記憶部から抽出し、この抽出した名刺情報を他の移動通信端末に送信する名刺情報交換手段とを備えている（請求項１ないし請求項６）。
【０００８】
上記名刺交換システムによれば、移動通信端末のユーザの名刺情報は、名刺管理サーバ装置により生成されたユーザ識別情報と対応付けられてデータベースに登録されている。
移動通信端末の本人情報取得手段は、ユーザ識別情報を名刺管理サーバ装置に送信してその移動通信端末のユーザの名刺情報を受信する。このとき、受信した名刺情報は、ユーザ識別情報と対応付けて名刺情報記憶部に記憶する。また、受信したユーザ識別情報は、登録済みユーザ識別情報記憶部にも記憶しておく。
名刺情報交換手段は、他の移動通信端末との間で名刺情報を送受信し名刺情報を交換する。このとき、名刺情報交換手段は、登録済みユーザ識別情報記憶部に記憶されたその端末のユーザ本人のユーザ識別情報を検索キーとしてユーザ情報記憶部からユーザ本人の名刺情報を抽出し、この名刺情報を他の移動通信端末に送信する。
そのため、取得済みの他人の名刺情報をその他人以外の第三者の移動通信端末に送信することを防止することができる。
【０００９】
上記名刺交換システムにおいて、名刺情報登録手段は、ユーザが使用するユーザ端末から送信された名刺情報を入力として受け付け、生成したユーザ情報をユーザ端末に送信するようにしてもよい（請求項２）。
このようにすれば、ユーザは、名刺情報をネットワークを通じて簡単に名刺交換サーバ装置に登録することができる。また、ユーザは、名刺交換サーバ装置により割り当てられたユーザ識別情報を名刺情報の登録後直ちに知ることができる。
【００１０】
上記名刺交換システムにおいて、名刺情報交換手段は、近距離無線通信手段により他の端末装置と直接接続して名刺情報の送受信を行うようにしてもよい（請求項３）。
このようにすれば、名刺情報の交換は、公衆通信回線を経由せず２台の移動通信端末を直接接続する通信路を経由して行われる。
そのため、公衆通信回線を用いた場合に比べ、通信路上での第三者による名刺情報の盗聴や改ざんに対する安全性を高めることができる。
【００１１】
上記名刺交換システムにおいて、名刺情報登録手段は、名刺情報の更新状況を示すリビジョン番号を生成して名刺情報と対応付けてデータベースに登録し、本人情報送信手段は、リビジョン番号を要求元の移動通信端末に送信し、名刺管理サーバ装置は、データベースに登録済みの名刺情報についてこの情報を更新する新たな名刺情報の入力を受け付け、データベースに登録されている名刺情報を更新すると共に更新した名刺情報のリビジョン番号を所定の増分値だけ増加させる名刺情報更新手段と、移動通信端末から名刺情報記憶部に記憶されている名刺情報に対応するユーザ識別情報とリビジョン番号を含む最新情報送信要求を受信したときに作動し、受信したリビジョン番号と受信したユーザ識別情報に対応するデータベースに登録されているリビジョン番号が異なる場合に受信したユーザ識別情報に対応する名刺情報をデータベースから読み出して要求元の移動通信端末に送信する最新情報送信手段とを備え、移動通信端末は、最新情報送信要求を名刺管理サーバ装置に送信し、この要求に応じて名刺管理サーバ装置が送信した名刺情報とリビジョン番号を受信し、これらの情報を名刺情報記憶部に記憶する最新情報取得手段を備えるようにしてもよい（請求項４）。
【００１２】
このようにすれば、名刺管理サーバ装置のデータベースには、常に最新の名刺情報が記憶されている。名刺管理サーバ装置は、移動通信端末から、取得済みの名刺情報の最新情報を要求されたときに、受信したリビジョン番号とデータベースに記憶されているリビジョン番号とを比較して、移動通信端末に記憶されている名刺情報が最新のものか否かを判定し、移動通信端末に記憶されている名刺情報が最新のものでない場合にだけ、名刺情報を送信することができる。
そのため、名刺管理サーバ装置と移動通信端末との間で送受信するデータの量を削減することができる。
【００１３】
上記名刺交換システムにおいて、最新情報送信手段は、ユーザが使用するユーザ端末から送信された名刺情報を入力として受け付けるようにしてもよい（請求項５）。
このようにすれば、ユーザは、転勤等により名刺情報に変更が生じたときに、ネットワークを介して変更後の名刺情報を名刺交換サーバ装置に送信することができる。
そのため、名刺情報に生じた変更を早期にデータベースに反映させることができる。
【００１４】
上記名刺交換システムにおいて、データベースには、ユーザ毎に予め定められた認証情報がユーザ識別情報と対応付けて記憶され、名刺情報更新要求には、ユーザの認証情報が含まれ、名刺情報更新手段は、受信した認証情報と受信したユーザ識別情報に対応するデータベースに登録されている認証情報が一致する場合に名刺情報の更新を実行するようにしてもよい（請求項６）。
このようにすれば、更新要求には、認証情報が含まれているから、名刺管理サーバ装置は、要求を送信したユーザの本人認証を行うことができる。
そのため、ユーザ認識番号を入手した第三者により、データベースに登録されている名刺情報が不正に改ざんされることを防止することができる。
【００１５】
本発明の名刺交換方法は、名刺管理サーバ装置が移動通信端末のユーザの名刺情報の入力を受け付け、ユーザを識別するユーザ識別情報を生成し、このユーザ識別情報と入力された名刺情報とを対応付けてデータベースに登録する名刺情報登録ステップと、移動通信端末が、名刺管理サーバ装置にユーザ識別情報を含む本人情報送信要求を送信し、この要求に応じて名刺管理サーバ装置が、受信したユーザ識別情報に対応する名刺情報をデータベースから読み出して要求元の移動通信端末に送信し、これらの情報を移動通信端末で受信し、名刺情報と識別情報を移動通信端末の名刺情報記憶部に記憶し、ユーザ識別情報を移動通信端末の登録済みユーザ識別情報記憶部に記憶する本人情報取得ステップと、移動通信端末が、他の移動通信端末からその移動通信端末のユーザの名刺情報とユーザ識別情報を受信してユーザ情報記憶部に記憶し、登録済みユーザ識別情報記憶部に記憶されたユーザ識別情報に対応する名刺情報を名刺情報記憶部から抽出し、この抽出した名刺情報を他の移動通信端末に送信する名刺情報交換ステップとにより名刺情報の交換を行う（請求項７）。
上記名刺交換方法によれば、前記の名刺交換システムと同様に、取得済みの他人の名刺情報をその他人以外の第三者の移動通信端末に送信することを防止することができる。
【００１６】
本発明の名刺交換プログラムは、コンピュータに、名刺管理サーバ装置が移動通信端末のユーザの名刺情報の入力を受け付け、ユーザを識別するユーザ識別情報を生成し、このユーザ識別情報と入力された名刺情報とを対応付けてデータベースに登録する名刺情報登録機能と、移動通信端末が、名刺管理サーバ装置にユーザ識別情報を含む本人情報送信要求を送信し、この要求に応じて名刺管理サーバ装置が、受信したユーザ識別情報に対応する名刺情報をデータベースから読み出して要求元の移動通信端末に送信し、これらの情報を移動通信端末で受信し、名刺情報と識別情報を移動通信端末の名刺情報記憶部に記憶し、ユーザ識別情報を移動通信端末の登録済みユーザ識別情報記憶部に記憶する本人情報取得機能と、移動通信端末が、他の移動通信端末からその移動通信端末のユーザの名刺情報とユーザ識別情報を受信してユーザ情報記憶部に記憶し、登録済みユーザ識別情報記憶部に記憶されたユーザ識別情報に対応する名刺情報を名刺情報記憶部から抽出し、この抽出した名刺情報を他の移動通信端末に送信する名刺情報交換機能とを実行させることにより名刺情報の交換を行う（請求項８）。
上記名刺交換プログラムによれば、前記の名刺交換システムと同様に、取得済みの他人の名刺情報をその他人以外の第三者の移動通信端末に送信することを防止することができる。
【発明の効果】
【００１７】
本発明によれば、移動通信端末から送信された名刺情報は、名刺管理サーバ装置により生成されたユーザ識別情報と対応付けられてデータベースに登録されている。
移動通信端末の本人情報取得手段は、ユーザ識別情報を名刺管理サーバ装置に送信して自分の名刺情報を移動通信端末に受信する。このとき、受信した名刺情報は、ユーザ識別情報と対応付けて名刺情報記憶部に格納する。また、ユーザ識別情報は、登録済みユーザ識別情報記憶部にも記憶しておく。
名刺情報交換手段は、他の移動通信端末との間で名刺情報を送受信し名刺情報を交換する。このとき、名刺情報交換手段は、登録済みユーザ識別情報記憶部に記憶されたその端末のユーザ本人のユーザ識別情報を検索キーとしてユーザ情報記憶部からユーザ本人の名刺情報を抽出し、この名刺情報を他の移動通信端末に送信する。
そのため、取得済みの他人の名刺情報をその他人以外の第三者の移動通信端末に送信することを防止することができる。
【発明を実施するための最良の形態】
【００１８】
以下、図を参照しながら本発明の一実施形態である名刺交換システム１の構成と動作について説明する。
図１は、名刺交換システム１の構成を示す全体図である。
名刺交換システム１は、パーソナルコンピュータ１０ａ、１０ｂ等の複数台のパーソナルコンピュータ（以下、これらの総称として「パーソナルコンピュータ１０」という）と、移動通信端末２０ａ、２０ｂ等の複数台の移動通信端末（以下、これらの総称として「移動通信端末２０」という）と、インターネット２と、名刺管理サーバ装置５０と、ゲートウェイ装置３と、移動パケット通信網４とを備えている。
移動パケット通信網４はゲートウェイ装置３を介してインターネット２に接続されており、これらの２つのネットワーク間では双方向のデータ通信を行うことが可能になっている。
【００１９】
名刺管理サーバ装置５０は、たとえば、ＨＴＴＰ(HyperText Transfer Protocol)サーバソフトウェアを実行するサーバコンピュータであり、移動通信端末２０からのリクエストを受信し、これに対するレスポンスを返信する。
また、名刺管理サーバ装置５０は、移動通信端末２０の各ユーザに関する名刺情報や、名刺情報の更新状況を管理するためのリビジョン番号、ユーザを識別するためのお客様識別コード及び第三者による他人の名刺情報参照や名刺情報の更新及び改竄を防止する為の暗証番号を記憶している。
名刺情報には、ユーザが所属する会社や部署の名称、その郵便番号と住所や電話番号、さらにはユーザの役職名やメールアドレスなどの、ユーザの名刺に記載し得ると考えられる様々な情報が含まれている。
【００２０】
名刺情報及び暗証番号は、ユーザがパーソナルコンピュータ１０のキーボード等の入力装置を操作して入力し、パーソナルコンピュータ１０からインターネット２を介して名刺管理サーバ装置５０に送信され、この名刺管理サーバ装置５０の名刺情報ファイル６９に記憶される。
このようにして名刺情報が名刺管理サーバ装置５０に記憶されると、名刺管理サーバ装置５０は、その名刺情報に固有となるようにお客様識別コード及びリビジョン番号を生成し、これを名刺情報および暗証番号と対応付けて記憶する。
【００２１】
移動通信端末２０は、たとえば、携帯電話機、ＰＨＳ(Personal Handyphone System)端末、ＰＤＡ(Personal Data Assistance，Personal Digital Assistants)、スマートフォン等のユーザによって携行される端末装置で、図示しない基地局を介して移動パケット通信網４に接続し、他の装置との間でデータ通信を行う。
移動通信端末２０は、例えばウェブブラウザ等のＨＴＴＰクライアントソフトウェアを実行し、ＨＴＴＰリクエストを名刺管理サーバ装置５０に送信し、そのレスポンスとして送信されたデータを液晶ディスプレイ装置等の表示装置２４に表示する。
また、この移動通信端末２０は、移動パケット通信網４を介することなく他の移動通信端末２０と直接接続してデータ通信をすることができる赤外線通信機能を備えている。
【００２２】
図２（ａ）は、名刺管理サーバ装置５０のハードウェア構成図である。
名刺管理サーバ装置５０は、ＣＰＵ(Central Processing Unit )５１と、主記憶装置５２と、ハードディスク装置５３と、通信インタ−フェース５４とを備えている。
ＣＰＵ５１は、制御機能と演算機能を備え、名刺管理サーバ装置５０の各ハードウェアを制御する。
主記憶装置５２は、例えばＲＡＭ(Random Access Memory)により構成され、ＣＰＵ５１が実行するプログラムをハードディスク装置５３から読み出して記憶する。また、ＣＰＵ５１がプログラムの実行をする際にワークエリアとして使用される。
ハードディスク装置５３は、パーソナルコンピュータ１０から送信された名刺情報を、お客様識別コードと暗証番号に対応付けて記憶する名刺情報ファイル６９を記憶している。また、ＣＰＵ５１が実行するプログラムと、パーソナルコンピュータ１０および移動通信端末２０の要求に応じて送信する、入力インターフェース等の画面（図１０等）をＨＴＭＬ(HyperText Markup Language)で記述したファイル（以下、「ＨＴＭＬデータ」という）を記憶している。
通信インターフェース５４は、例えばＬＡＮ(Local Area Network)アダプタにより構成され、例えばＬＡＮと図示しないルータを介してインターネット２に接続されている。
【００２３】
図２（ｂ）は、名刺管理サーバ装置５０の機能ブロック図である。
名刺管理サーバ装置５０は、制御部６１、通信手段６２、データベースアクセス手段６３、名刺情報登録手段６４、名刺情報更新手段６５、本人情報送信手段６６、最新情報送信手段６７、記憶部６８を備えている。
制御部６１は、例えばＣＰＵ５１がオペレーティングシステムやデバイスドライバを実行することにより実現され、メモリ管理、タスク管理等の基本的な制御を行う。後述の各手段は、制御部６１を介して名刺管理サーバ装置５０のハードウェア資源にアクセスする。
【００２４】
通信手段６２は、制御部６１の制御のもとで、インターネット２を介してパーソナルコンピュータ１０及び移動通信端末２０との間でデータの送受信を行う。
データベースアクセス手段６３は、例えば、ＣＰＵ５１がＲＤＢＭＳ（Relational  DataBase  Management  System）を実行することにより実現され、名刺情報登録手段６４、名刺情報更新手段６５、本人情報送信手段６６、最新情報送信手段６７の要求に応じて名刺情報ファイル６９にアクセスし名刺情報の登録、更新等を行う。
【００２５】
名刺情報登録手段６４は、パーソナルコンピュータ１０から名刺情報の登録要求を受信すると、登録要求に含まれる名刺情報に対して固有のお客様識別コード（ユーザ識別情報の一例）を生成し、受信した名刺情報をお客様識別情報と対応付けて名刺情報ファイル６９（データベースの一例）に登録する。
【００２６】
名刺情報更新手段６５は、パーソナルコンピュータ１０から登録済みの名刺情報の更新要求を受信すると、更新要求に含まれるお客様識別情報に対応する登録済みの名刺情報を更新要求に含まれる新たな名刺情報で上書き更新する。また、名刺情報を更新した場合には、その名刺情報のリビジョン番号を１だけ増加させる。
【００２７】
本人情報送信手段６６は、移動通信端末２０からこの端末のユーザ本人の名刺情報の送信要求を受信すると、送信要求に含まれるお客様識別コードに対応する名刺情報を名刺情報ファイル６９から読み出して、要求元の移動通信端末２０に送信する。
【００２８】
最新情報送信手段６７は、移動通信端末から最新情報の送信要求を受信すると、送信要求に含まれるリビジョン番号とデータベースに記憶されているリビジョン番号を比較し、移動通信端末に記憶されている名刺情報が最新のものか否かを判定する。そして、それが最新のものでない場合には、受信したお客様識別コードに対応する名刺情報を名刺情報ファイル６９から抽出し、移動通信端末２０に送信する。
【００２９】
上記の各手段は、ＣＰＵ５１がコンピュータプログラムを実行し名刺管理サーバ装置５０のハードウェアを制御することにより実現される。
【００３０】
記憶部６８には、移動通信端末２０のユーザの名刺情報がユーザを識別する情報であるお客様識別コードと対応付けて登録されている名刺情報ファイル６９が記憶されている。
図３に、名刺情報ファイル６９のデータ構造の一例を示す。
名刺情報ファイル６９には、ユーザの勤務先会社の名称「××会社」、所属部署「総務部」、役職「部長」、氏名「山本太郎」、会社の郵便番号と住所「〒ＸＸＸ−ＸＸＸＸ神奈川県横浜市・・・」、会社の電話番号「０４５−ＸＸＸ−ＸＸＸＸ」、移動通信端末２０の電話番号「０９０−ＸＸＸＸ−ＸＸＸＸ」等の名刺情報６９ａが記憶されている。
さらにこれらの名刺情報に対応して、お客様識別コード６９ｃ、リビジョン番号６９ｂ、暗証番号６９ｄが記憶されている。
【００３１】
お客様識別コード６９ｃは、６桁の英数字によって構成される文字列であり、各々のユーザがパーソナルコンピュータ１０から名刺情報を初めて登録したときに名刺管理サーバ装置５０がユーザ及び名刺情報に対して一意に割り当てたものでありユーザ固有の情報である。
【００３２】
お客様識別コード６９ｃは、ユーザが名刺情報を更新する際にパーソナルコンピュータ１０から名刺情報と暗証番号とともに入力する必要があり、入力されたお客様識別コード及び暗証番号が名刺情報ファイル６９に記憶されているお客様識別コード６９ｃ及び暗証番号６９ｄと一致したときのみ名刺情報の更新が許される。
名刺管理サーバ装置５０は、移動通信端末２０からのＨＴＴＰリクエストに正しい「お客様識別コード」が含まれているときのみ、その「お客様識別コード」に対応する名刺情報を上記移動通信端末２０に送信する。
【００３３】
リビジョン番号６９ｂは、移動通信端末２０から最新情報の送信要求があったときに、要求の対象の名刺情報が更新されているか否かを判定するための情報である。リビジョン番号は、名刺情報の初期登録時に３桁の数字“００１”が名刺管理サーバ装置５０により設定され、その後更新される度に所定の増分値、たとえば数値の“１”が加算される。
リビジョン番号６９ｂは、移動通信端末２０から名刺交換済みユーザの名刺最新情報を入手する際に、移動通信端末２０に記憶されている「リビジョン番号」と名刺管理サーバ装置５０に記憶されている「リビジョン番号」が比較され、更新されている場合のみ名刺情報が送信される。
【００３４】
暗証番号６９ｄ（認証情報の一例）は、パーソナルコンピュータ１０から名刺情報を登録または更新する際にユーザが指定する４桁の英数字によって構成される文字列からなる情報である。
【００３５】
図２には、名刺情報ファイル６９が名刺管理サーバ装置５０のハードディスク装置５３に記憶されている例を示したが、名刺情報ファイル６９は、名刺管理サーバ装置５０がアクセス可能であれば物理的な位置を問わない。
【００３６】
次に、移動通信端末２０の構成について、説明する。
図４（ａ）は、移動通信端末２０のハードウェア構成図である。
移動通信端末２０は、ＣＰＵ２１と、無線通信インターフェース２２と、赤外線通信インターフェース２３と、表示装置２４と、操作装置２５と、不揮発性メモリ２６を備えている。
ＣＰＵ２１は、制御機能と演算機能を備え、移動通信端末２０の各ハードウェアを制御する。
無線通信インターフェース２２は、例えば、ＩＭＴ−２０００等の携帯電話通信規格に従った無線通信ユニットにより構成され、移動パケット通信網４に接続して名刺管理サーバ装置５０との間でデータ通信を行う。
赤外線通信インターフェース２３（近距離無線通信手段の一例）は、例えばＩｒＤＡ（InfraRed Data Association）に従った通信ユニットにより構成され、他の移動通信端末２０と直接接続し、データ通信を行う。なお、近距離無線通信手段としては、Ｂｌｕｅｔｏｏｔｈ等の他の通信方式を採用しても良い。
表示装置２４は、例えば液晶ディスプレイとその駆動回路から構成され、情報を画像として表示しユーザに提示する。
操作装置２５は、たとえは、キーパッドや押圧キー検出回路から構成される。
不揮発性メモリ２６は、例えばＥＥＰＲＯＭ（Electrically Erasable Programmable
Read-Only Memory）等の不揮発性の記憶素子を用いた記憶装置で、ＣＰＵ２１の主記憶装置として使用されると共に、名刺情報等のデータとＣＰＵ２１が実行するプログラムを記憶している。
【００３７】
図４（ｂ）は、移動通信端末２０の機能ブロック図である。
移動通信端末２０は、制御部３１、無線通信手段３２、赤外線通信手段３３、本人情報取得手段３４、名刺情報交換手段３５、最新情報取得手段３６、名刺情報参照手段３７、記憶部４０を備えている。
制御部３１は、例えばＣＰＵ２１がオペレーティングシステムやデバイスドライバを実行することにより実現され、メモリ管理、タスク管理等の基本的な制御を行う。後述の各手段は、制御部３１を介して移動通信端末２０のハードウェア資源にアクセスする。
無線通信手段３２は、制御部３１の制御のもと、無線により基地局に接続し、移動パケット通信網４とインターネット２を介して名刺管理サーバ装置５０との間でデータの送受信を行う。
赤外線通信手段３３は、制御部３１の制御のもと、赤外線により基地局等を介することなく他の移動通信端末２０に直接接続し、名刺情報等の送受信を行う。
【００３８】
本人情報取得手段３４は、名刺管理サーバ装置５０にお客様識別コードを送信し、名刺情報ファイル６９に登録済みの、移動通信端末２０のユーザ本人の名刺情報の送信を要求する。そして、この要求に応じて名刺管理サーバ装置５０から送信された名刺情報とお客様識別コードを名刺情報記憶エリア４３（名刺情報記憶部の一例）に記憶する。また、お客様識別コードについては、システム登録済みお客様識別コード４４（登録済みユーザ識別情報記憶部の一例）にも記憶する。
【００３９】
名刺情報交換手段３５は、他の移動通信端末２０にその端末装置のユーザの名刺情報の送信を要求し、この要求に応じて他の移動通信端末２０から送信された名刺情報とその名刺情報に対応するお客様識別コードを名刺情報記憶エリア４３に記憶する。また、他の移動通信端末２０に名刺情報記憶エリア４３に格納されている名刺情報を送信する。ただし、送信に際してシステム登録済みお客様識別コード４４をキーとして名刺情報記憶エリア４３を検索し、送信元の移動通信端末２０のユーザ本人の名刺情報のみを送信する。
【００４０】
最新情報取得手段３６は、名刺情報記憶エリア４３に記憶されている他の移動通信端末２０のユーザの名刺情報に対応するお客様識別情報とリビジョン番号を名刺管理サーバ装置５０に送信し、その名刺情報が更新されているか否かを問い合わせる。そして、更新がされている場合は、更新後の名刺情報を取得し名刺情報記憶エリア４３に記憶されている名刺情報を上書き更新する。
名刺情報参照手段３７は、名刺情報記憶エリア４３に記憶されている名刺情報のうち、ユーザによって指定されたものを表示装置２４に表示する。
【００４１】
上記の各手段は、ＣＰＵ２１がコンピュータプログラムを実行し移動通信端末２０のハードウェアを制御することにより実現される。
【００４２】
記憶部４０には、名刺情報及びその他のデータを送受信する際にこれらの情報を一時的に記憶する名刺情報送受信エリア４２、移動通信端末２０のユーザ本人の名刺情報（以下、「本人名刺情報」という）及び他の移動通信端末２０のユーザの名刺情報（以下、「相手名刺情報」という）を記憶するための名刺情報記憶エリア４３、名刺情報を検索する際に使用する検索番号記憶エリア４５及び検索用データ記憶エリア４６が設けられている。
また、本人名刺情報と相手名刺情報を区別判定するためのシステム登録済みお客様識別コード４４、名刺情報を検索する際に使用する検索キーテーブル４７が記憶されている。
名刺情報記憶エリア４３には、図３に示したものと同じデータ構造で、本人名刺情報と他人名刺情報が、お客様識別コードと対応付けられて記憶されている。ただし、名刺情報記憶エリア４３には、暗証番号は記憶されていない。
【００４３】
検索の手順を例としてこれらのデータ及び記憶エリアの役割を説明すると、先ず移動通信端末２０の検索キー選択画面７９（後述）で「名前で検索する」と表示されているソフトウェアボタン７９ａを押すと、検索番号記憶エリア４５に検索キー番号“１“がセットされ、これを検索キーとして検索キーテーブル４７を検索する。検索キーテーブル４７には、検索キー番号とその番号に対応する名刺情報の項目名が登録されているので、”１“に対応する検索項目”氏名”が特定される。更に移動通信端末２０の検索データ入力画面８０（後述）で”山田”と入力すると、この入力された”山田”が検索用データ記憶エリア４６に記憶され、この情報をキーとして名刺情報記憶エリア４３の”氏名”項目を検索し、氏名に“山田”を含む名刺情報が画面に表示されることになる。
【００４４】
図４（ｂ）では、移動通信端末２０のユーザは先ず本人名刺情報取込み処理を実施することにより、名刺管理サーバ装置５０からこの移動通信端末２０に本人名刺情報がダウンロードされて記憶部４０の名刺情報記憶エリア４３に記憶される。更に本人名刺情報に対応するお客様識別コードが移動通信端末２０のシステム登録済みお客様識別コード４４にも転送記憶される。記憶部４０の名刺情報記憶エリア４３には本人名刺情報及び相手名刺情報が区別なく記憶されている。
【００４５】
移動通信端末２０は、名刺情報記憶エリア４３に本人名刺情報及び相手名刺情報が区別なく記憶されていても、名刺情報記憶エリア４３から読取ったお客様識別コードとシステム登録済みお客様識別コード４４を比較することにより本人名刺情報と相手名刺情報の区別が出来るようになっている。移動通信端末２０が他の移動通信端末２０と名刺情報の交換を行う際には、名刺情報交換手段３５は、名刺情報記憶エリア４３に記憶されている本人名刺情報を赤外線通信手段３３を用いて他の移動通信端末２０に送信する。
【００４６】
次に、相手名刺情報は、名刺交換処理を実施し他の移動通信端末２０から赤外線を用いて送信されてきて名刺情報記憶エリア４３に記憶されるものである。移動通信端末２０の名刺情報交換手段３５は、このような相手名刺情報の送信を赤外線通信手段３３を用いて移動通信端末２０に要求する。そして、名刺情報参照手段３７は、他の移動通信端末２０から送信されてくる名刺情報を赤外線通信手段３３を介して受信し、表示装置２４に表示する。
【００４７】
図５（ａ）は、パーソナルコンピュータ１０のハードウェア構成図である。
パーソナルコンピュータ１０は、ＣＰＵ１１と、主記憶装置１２と、ハードディスク装置１３と、通信インタ−フェース１４と、表示装置１４ａとを備えている。
ＣＰＵ１１は、制御機能と演算機能を備え、パーソナルコンピュータ１０の各ハードウェアを制御する。
主記憶装置は、例えばＲＡＭにより構成され、ＣＰＵ１１が実行するプログラムをハードディスク装置１３から読み出して記憶する。
ハードディスク装置１３は、ＣＰＵ１１が実行するプログラム等を記憶している。
通信インターフェース１４は、例えばＬＡＮアダプタにより構成され、例えばＬＡＮと図示しないルータを介してインターネット２に接続されている。
表示装置１４ａは、例えば液晶ディスプレイとその駆動回路から構成され、情報を画像として表示しユーザに提示する。
【００４８】
図５（ｂ）は、パーソナルコンピュータ１０の機能ブロック図である。
パーソナルコンピュータ１０は、制御部１５と通信手段１６と、登録要求手段１７と更新要求手段１８と記憶部１９を備えている。
制御部１５は、例えばＣＰＵ１１がオペレーティングシステムやデバイスドライバを実行することにより実現され、メモリ管理、タスク管理等の基本的な制御を行う。後述の各手段は、制御部１５を介してパーソナルコンピュータ１０のハードウェア資源にアクセスする。
通信手段１６は、制御部１５の制御のもとで、インターネット２を介して名刺管理サーバ装置５０との間でデータの送受信を行う。
【００４９】
登録要求手段１７は、移動通信端末２０のユーザの名刺情報を名刺管理サーバ装置５０に送信し名刺情報の登録を要求する。そして、この要求に応じて名刺管理サーバ装置５０が送信したお客様識別コード等を表示装置１４ａに表示する。
更新要求手段１８は、移動通信端末２０のユーザの名刺情報に更新があった際に、更新後の名刺情報とお客様識別コードを名刺管理サーバ装置５０に送信し、名刺情報の更新を要求する。
【００５０】
上記の各手段は、ＣＰＵ１１がコンピュータプログラムを実行しパーソナルコンピュータ１０のハードウェアを制御することにより実現される。
記憶部１９には、ＣＰＵ１１が実行するプログラム等が記憶されている。
【００５１】
次に、名刺交換システム１の動作について説明する。
名刺交換システム１では、名刺情報の登録・更新処理と、本人名刺情報の取込み処理と、名刺情報の交換処理と、名刺参照処理と、相手名刺最新情報の取得処理という５つの動作がある。
これらの動作について、以下では、移動通信端末２０ａのユーザ（以下、「ユーザａ」という）が、パーソナルコンピュータ１０ａを用いて自身の名刺情報を名刺管理サーバ装置５０に登録し、次いで、移動通信端末２０ｂのユーザ（以下、「ユーザｂ」という）との間で名刺情報を交換及び参照し、この後、交換した名刺情報に変更が生じた場合の名刺情報の最新データを取得する場面を例に挙げて説明を行う。
【００５２】
（名刺情報の登録・更新処理）
図６は、パーソナルコンピュータ１０ａと名刺管理サーバ装置５０とによって実行される名刺情報の登録・更新処理のパーソナルコンピュータ１０ａの表示画面である。
図７は、パーソナルコンピュータ１０ａと名刺管理サーバ装置５０とによって実行される名刺情報の登録・更新完了通知のパーソナルコンピュータ１０ａの表示画面である。
図８は、パーソナルコンピュータ１０ａと名刺管理サーバ装置５０とによって実行される名刺情報の登録プロセスを示すフローチャート図である。
まず、ユーザａは、パーソナルコンピュータ１０ａを操作して、名刺管理サーバ装置５０が記憶している登録・更新画面のＵＲＬ(Uniform Resource Locator)を入力する。パーソナルコンピュータ１０ａの登録要求手段１７は、この操作を受け付けると、上記ＵＲＬを含むＨＴＴＰリクエストを生成し、これをインターネット２を介して名刺管理サーバ装置５０に送信する。
【００５３】
名刺管理サーバ装置５０の名刺情報登録手段６４は、インターネット２を介してＨＴＴＰリクエストを受信すると、このＨＴＴＰリクエストに含まれるＵＲＬに基づいて記憶部６８からＨＴＭＬデータを読み出す。次いで、名刺管理サーバ装置５０の名刺情報登録手段６４は、このＨＴＭＬデータを含むＨＴＴＰレスポンスをパーソナルコンピュータ１０ａに送信する。
【００５４】
パーソナルコンピュータ１０ａの登録要求手段１７は、受信したＨＴＴＰレスポンスに含まれるＨＴＭＬデータを解釈して図６に示すような画面７０を表示装置１４ａに表示する。この画面には名刺情報を入力するためのテキストボックス７０ａが設けられており、ユーザは、これらテキストボックスに、会社名、氏名、部署、役職、住所、会社の電話番号及び移動通信端末２０ａの電話番号、Ｅ−ＭＡＩＬ番号等の名刺情報とユーザ固有の暗証番号を入力し、最後に「登録」と表記されたソフトウェアボタン７０ｂを選択する操作を行う（Ｓ１０１）。
登録要求手段１７は、必要な項目が正しく入力されているかを確認し（Ｓ１０２）、誤っている場合は、誤りがあったことを通知し再入力を促すメッセージを画面に表示し（Ｓ１０３）、正しく入力されている場合は、入力された名刺情報と暗証番号を含むＨＴＴＰリクエストを名刺管理サーバ装置５０に送信する（Ｓ１０４）。
【００５５】
名刺管理サーバ装置５０の名刺情報登録手段６４は、受信したＨＴＴＰリクエストから名刺情報と暗証番号を抽出し、この名刺情報を名刺情報ファイル６９に記憶する。次いで、名刺情報登録手段６４は、記憶した名刺情報に対して固有のお客様認識コードを生成し、抽出した暗証番号とともに上記名刺情報に対応付けて名刺情報ファイル６９に記憶する。又、名刺情報に対応するリビジョン番号として初期数値の１を生成し、これも名刺情報に対応付けて記憶する（Ｓ１０５）。
そして、名刺情報登録手段６４は、図７のデータ画面７１を生成するためのデータ、登録した名刺情報、これに対応する暗証番号とお客様認識コード含むＨＴＴＰレスポンスをパーソナルコンピュータ１０ａに送信する（Ｓ１０６）。
【００５６】
パーソナルコンピュータ１０ａの登録要求手段１７は、ＨＴＴＰレスポンスを受信すると、名刺情報の登録が完了した旨の通知と登録済みの名刺情報と入力された暗証番号及び名刺管理サーバ装置５０により自動採番されたお客様識別コードを表示し、ユーザａに処理の確認を促す（図７の画面７１）。ユーザａは、登録内容が正しい場合は「終了」と表記されたソフトウェアボタン７１ａを選択する操作を行い、内容を修正したい場合は「更新（修正）」と表記されたソフトウェアボタン７１ｂを選択する操作を行う（Ｓ１０７）。
ソフトウェアボタン７１ａが選択された場合は、登録要求手段１７は、処理を終了する（Ｓ１０８の判定がイエス）。
ソフトウェアボタン１７ｂが選択された場合は、更新要求手段１８が起動され、図９のＳ１０９以降の処理が実行される（Ｓ１０８の判定がノー）。
【００５７】
図９は、名刺管理サーバ装置５０に登録済みの名刺情報を更新する際の名刺管理システム１の動作を示すフローチャート図である。
既に登録している名刺情報を更新する場合において、パーソナルコンピュータ１０ａが、受信したＨＴＴＰレスポンスに含まれるＨＴＭＬデータを解釈して図６に示すような画面７０を表示するところまでは図８の新規登録処理と同様の手順に従う。
ユーザａは、名刺情報の必要な項目を更新した後ユーザ固有の暗証番号及びお客様識別コードを入力し、最後に図７の「更新（修正）」と表記されたソフトウェアボタン７１ｂを選択する操作を行う（Ｓ１０９）。
パーソナルコンピュータ１０ａの更新要求手段１８は、上記の操作が正しく実施されているかを確認し（Ｓ１１０）、誤っている場合はエラー及び再入力のメッセージを画面に表示し（Ｓ１１１）、正しい場合は、この操作を受け付けて、入力された名刺情報と暗証番号とお客様識別情報を含むＨＴＴＰリクエストを名刺管理サーバ装置５０に送信する（Ｓ１１２）。
【００５８】
名刺管理サーバ装置５０の名刺情報更新手段６５は、受信したＨＴＴＰリクエストから名刺情報と暗証番号及びお客様識別コードを抽出し、名刺情報ファイル６９に記憶している暗証番号及びお客様識別コードと一致するかを確認し（Ｓ１１３、Ｓ１１４）、一致しない場合はエラー及び再入力のメッセージを画面に表示し（Ｓ１１１）、一致する場合は、受信した名刺情報をお客様認識コードと対応付けて名刺情報ファイル６９に記憶する。又、記憶されている名刺情報のリビジョン番号に１を加算して更新する（Ｓ１１５）。
そして、名刺管理サーバ装置５０は、図７のデータ画面７１を生成するためのデータ、登録した名刺情報、これに対応する暗証番号及びお客様識別情報を含むＨＴＴＰレスポンスをパーソナルコンピュータ１０ａに送信する（Ｓ１１６）。
【００５９】
パーソナルコンピュータ１０ａの更新要求手段１８は、ＨＴＴＰレスポンスを受信すると、名刺情報の更新が完了した旨の通知と更新済みの名刺情報と入力された暗証番号及びお客様識別コードを表示し、ユーザに処理の確認を促す（図７の画面７１）。ユーザは内容が正しい場合は図７の「終了」と表記されたソフトウェアボタン７１ａを選択する操作を行い、内容を更に修正したい場合は「更新（修正）」と表記されたソフトウェアボタン７１ｂを選択する操作を行う（Ｓ１１７）。
ソフトウェアボタン７１ａが選択された場合は、更新要求手段１８は、処理を終了する（Ｓ１１８の判定がイエス）。
ソフトウェアボタン７１ｂが選択された場合は、更新要求手段は、Ｓ１０９に戻り図６の画面７０を表示する。
【００６０】
（本人名刺情報の取込み処理）
図１０は、移動通信端末２０ａと名刺管理サーバ装置５０とによって実行される本人名刺情報取込み処理の移動通信端末２０ａの表示画面である。
図１１は、移動通信端末２０ａと名刺管理サーバ装置５０とによって実行される本人名刺情報取込みプロセスを示すフローチャート図である。
名刺交換システム１では、名刺情報を交換する処理に先立って、ユーザａは自身の移動通信端末２０ａに本人名刺情報の取込み処理を行う必要がある。以下では、図１０及び図１１を参照しながら、この設定処理について説明する。
移動通信端末２０ａの本人情報取得手段３４は、ユーザにより入力された名刺交換システム画面のＨＴＭＬデータのＵＲＬを含むＨＴＴＰリクエストを生成し、これを名刺管理サーバ装置５０に送信する。
【００６１】
さて、名刺管理サーバ装置５０の本人情報送信手段６６は、ＨＴＴＰリクエストを受信すると、このＨＴＴＰリクエストに含まれているＵＲＬに対応するＨＴＭＬデータを記憶部６８から読み出し、このＨＴＭＬデータを含むＨＴＴＰレスポンスを移動通信端末２０ａに送信する。
【００６２】
移動通信端末２０ａの本人情報取得手段３４は、受信したＨＴＴＰレスポンスに含まれるＨＴＭＬデータを解釈して図１０（ａ）に示すような名刺交換システム画面７２を表示する。この画面には、移動通信端末２０ａから各種操作を指示するための選択肢として「１．本人名刺情報の取込み」「２．名刺交換」「３．名刺参照」「４．登録済み相手名刺情報の更新」とそれぞれ表記された４個のソフトウェアボタン７２ａ、７２ｂ、７２ｃ、７２ｄが設けられている。
ユーザａがこの画面でソフトウェアボタン７２ａを選択すると更に図１０（ｂ）に示すお客様識別コードの入力画面７３を表示する（Ｓ１１９）。ここではお客様識別コードを入力するテキストボックス７３ａが設けられており、ユーザａがお客様識別コードを入力後「送信」と表記されたソフトウェアボタン７３ｂを選択すると、本人情報取得手段３４が、入力されたお客様識別コードを含むＨＴＴＰリクエストを名刺管理サーバ装置５０に送信する（Ｓ１２０）。
【００６３】
名刺管理サーバ装置５０の本人情報送信手段６６は、受信したＨＴＴＰリクエストから、お客様識別コードを抽出する。次いで、本人情報送信手段６６は、名刺情報ファイル６９を参照して、受信したお客様識別コードと名刺情報ファイル６９に記憶しているお客様識別コードが一致するか否かを判定する（Ｓ１２１）。
一致しない（Ｓ１２１の判定がノーの）場合、本人情報送信手段６６は、お客様識別コード不一致のメッセージを移動通信端末２０ａに送信し、これを受信した移動通信端末２０の本人情報取得手段３４は、図１０（ｃ）に示す再処理有無確認の画面７４の表示を行う（Ｓ１２２）。ユーザａが「再入力する」のソフトウェアボタン７４ａを選択した（Ｓ１２３ａの判定がノーの）場合は、前画面のお客様識別コードの入力画面７３が表示され再度お客様識別コードの入力操作を行う。「終了する」のソフトウェアボタン７４ｂを選択した（Ｓ１２３ａの判定がイエスの）場合は、本人名刺情報取込み処理を終了する。
【００６４】
受信したお客様識別コードと名刺情報ファイル６９に記憶しているお客様識別コードが一致する（Ｓ１２１の判定がイエスの）場合は、本人情報送信手段６６は、受信したお客様識別コードに対応する名刺情報を読み出し、この情報とＳ１２０で受信したお客様情報を含むＨＴＴＰレスポンスを移動通信端末２０ａに送信する（Ｓ１２４）。
【００６５】
移動通信端末２０ａの本人情報取得手段３４は、受信したレスポンスを名刺情報送受信エリア４２に記憶し、このデータから名刺情報とお客様識別コードを抽出し、名刺情報記憶エリア４３に記憶する。又、お客様識別コードをシステム登録済みお客様識別コード４４に記憶する（Ｓ１２５）。
本人情報取得手段３４は、完了メッセージ及び「終了する」のソフトウェアボタン７５ａを含む図１０（ｄ）の画面７５を表示する（Ｓ１２６）。ユーザがソフトウェアボタン７５ａを選択すると本人情報処理は終了する（Ｓ１２７）。
【００６６】
また、移動通信端末２０ｂと名刺管理サーバ装置５０との間においても、上記と同様の手順で名刺情報登録・更新処理、本人情報取得処理が実行され、この結果、移動通信端末２０ｂの記憶部４０の名刺情報記憶エリア４３にユーザｂの名刺情報が、システム登録済みお客様識別コード４４にはユーザｂの名刺情報に対応する客様識別コードが記憶される。
【００６７】
（名刺情報の交換処理）
図１２は、名刺交換処理画面を示した図である。
図１３は、移動通信端末２０ａと移動通信端末２０ｂとによって実行される名刺交換プロセスを示すフローチャート図である。
次に、図１２と図１３を参照しながら、移動通信端末２０ａと移動通信端末２０ｂとが、名刺情報を交換する際の動作について説明する。
【００６８】
ユーザａは、名刺管理サーバ装置５０が記憶している名刺交換システム画面のＵＲＬを入力する。移動通信端末２０ａの名刺情報交換手段３５は、この操作を受け付けると、上記ＵＲＬを含むＨＴＴＰリクエストを生成し、これを名刺管理サーバ装置５０に送信する。
【００６９】
さて、名刺管理サーバ装置５０は、ＨＴＴＰリクエストを受信すると、このＨＴＴＰリクエストに含まれているＵＲＬに対応するＨＴＭＬデータを記憶部６８から読み出し、このＨＴＭＬデータを含むＨＴＴＰレスポンスを移動通信端末２０ａに送信する。
【００７０】
移動通信端末２０ａの名刺情報交換手段３５は、受信したＨＴＴＰレスポンスに含まれるＨＴＭＬデータを解釈して図１２（ａ）に示すような名刺交換システム画面７６を表示する。この画面には、図１０（ａ）と同様のソフトウェアボタン７６ａ、７６ｂ、７６ｃ、７６ｄが設けられている。ユーザａは、この画面で「２．名刺交換」と表記されたソフトウェアボタン７６ｂを選択する（Ｓ１２８）。
【００７１】
ここで、名刺情報交換手段３５は、移動通信端末２０ｂからの名刺情報が届いて（受信して）いるか否かを調べ、受信している場合（Ｓ１２９の判定がノーの場合）は受信データを名刺情報送受信エリア４２に記憶した後名刺情報記憶エリア４３に転送する（Ｓ１３０）。又、受信していない場合（Ｓ１２９の判定がイエスの場合）は、システム登録済みお客様識別コード４４に記憶しているデータを検索キーとして名刺情報記憶エリア４３に記憶しているお客様識別コードを検索する（Ｓ１３１）。
名刺情報記憶エリア４３には本人名刺情報と相手先名刺情報を混在して記憶させるメモリ構成としている為、名刺情報交換手段３５は、システム登録済みお客様識別コード４４と名刺情報記憶エリア４３のお客様識別コードが一致するまで検索を続ける（Ｓ１３２、Ｓ１３３）。
さて、お客様識別コードが一致した（Ｓ１３２の判定がイエスの）場合、名刺情報交換手段３５は、該当する名刺情報を名刺情報送受信エリア４２に転送する（Ｓ１３４）。
【００７２】
ユーザａとユーザｂは、各々、自身の移動通信端末２０の赤外線通信インターフェース２３を互いに近づけ、操作装置２５を用いて予め定められた手順で赤外線信号をやり取りしてコネクションを確立する（Ｓ１３５）。移動通信端末２０ａの名刺情報交換手段３５は、名刺情報送受信エリア４２に記憶されている名刺情報を読出し、赤外線信号で移動通信端末２０ｂに送信する（Ｓ１３６）。
【００７３】
また、ユーザｂは、移動通信端末２０ｂを操作して名刺管理サーバ装置５０が記憶している設定処理画面のＵＲＬを入力する。移動通信端末２０ｂの名刺情報交換手段３５は、この操作を受け付けると、上記ＵＲＬを含むＨＴＴＰリクエストを生成し、これを名刺管理サーバ装置５０に送信する。
【００７４】
さて、名刺管理サーバ装置５０の本人情報送信手段６６は、ＨＴＴＰリクエストを受信すると、このＨＴＴＰリクエストに含まれているＵＲＬに対応するＨＴＭＬデータを記憶部６８から読み出し、このＨＴＭＬデータを含むＨＴＴＰレスポンスを移動通信端末２０ｂに送信する。
【００７５】
移動通信端末２０ｂは、受信したＨＴＴＰレスポンスに含まれるＨＴＭＬデータを解釈して図１２（ａ）に示すような名刺交換システム画面７６を表示する。この画面は、Ｓ１２８で移動通信端末２０ａに表示されるものと同一である。
ユーザｂは、この画面で「２．名刺交換」と表記されたソフトウェアボタン７６ｂを選択する（Ｓ１３７）。
ここで、移動通信端末２０ｂの名刺情報交換手段３５は、移動通信端末２０ａからの名刺情報が届いて（受信して）いないかを調べ、受信している場合（Ｓ１３８の判定がノーの場合）は受信データを名刺情報送受信エリア４２に記憶した後、名刺情報記憶エリア４３に転送する（Ｓ１３９）。又、受信していない場合（Ｓ１３８の判定がイエスの場合）は、システム登録済みお客様識別コード４４に記憶しているデータを検索キーとして名刺情報記憶エリア４３に記憶しているお客様識別コードを検索する（Ｓ１４０）。名刺情報記憶エリア４３は本人名刺情報と相手先名刺情報を混在して記憶させるメモリ構成としている為、名刺情報交換手段３５は、システム登録済みお客様識別コード４４と名刺情報記憶エリア４３のお客様識別コードが一致するまで検索を続ける（Ｓ１４１、Ｓ１４２）。
【００７６】
さて、名刺情報交換手段３５は、お客様識別コードが一致した場合、該当する名刺情報を名刺情報送受信エリア４２に転送する（Ｓ１４３）。名刺情報交換手段３５は、名刺情報送受信エリア４２の名刺情報を読出し、赤外線信号で移動通信端末２０ａに送信する（Ｓ１４４）。
【００７７】
移動通信端末２０ａの名刺情報交換手段３５は、赤外線信号により受信した名刺情報を名刺情報送受信エリア４２に記憶したあと、名刺情報記憶エリア４３に転送する（Ｓ１４５）。移動通信端末２０ａおよび移動通信端末２０ｂの名刺情報交換手段３５は各々、名刺交換処理が終了した旨のメッセージと「終了する」と表記されたソフトウェアボタン７７ａを含む画面７７（図１２（ｂ））を表示装置２４に表示する（Ｓ１４６）。ユーザａとユーザｂは、各々「終了する」のソフトウェアボタン７７ａを選択する操作をして処理を終わらせる（Ｓ１４７）。
【００７８】
（名刺参照処理）
図１４は、移動通信端末２０と名刺管理サーバ装置５０とによって実行される名刺参照処理画面を示した移動通信端末表示図である。
図１５は、移動通信端末２０と名刺管理サーバ装置５０とによって実行される名刺参照プロセスを示すフローチャート図である。
次に、図１４と図１５を参照しながら、移動通信端末２０ａと名刺管理サーバ装置５０が、名刺情報を参照する際の動作について説明する。
【００７９】
まず、ユーザａは移動通信端末２０ａを操作して名刺管理サーバ装置５０が記憶している名刺交換システム画面のＵＲＬを入力する。移動通信端末２０ａ名刺情報参照手段３７は、この操作を受け付けると、上記ＵＲＬを含むＨＴＴＰリクエストを生成し、これを名刺管理サーバ装置５０に送信する。
【００８０】
さて、名刺管理サーバ装置５０は、ＨＴＴＰリクエストを受信すると、このＨＴＴＰリクエストに含まれているＵＲＬに対応するＨＴＭＬデータを記憶部６８から読み出し、このＨＴＭＬデータを含むＨＴＴＰレスポンスを移動通信端末２０ａに送信する。
【００８１】
移動通信端末２０ａは、受信したＨＴＴＰレスポンスに含まれるＨＴＭＬデータを解釈して図１４（ａ）に示すような名刺交換システム画面７８を表示する。この画面は、図１０（ａ）に示したものと同様である。
ユーザがこの画面で「３．名刺参照」と表記されたソフトウェアボタン７８ｃを選択すると名刺情報参照手段３７は、図１４（ｂ）の登録済み相手名刺情報の参照画面７９を表示する。参照画面７９には、「名前で検索する」、「会社名で検索する」、「電話番号で検索する」等の検索条件が表示されたソフトウェアボタン７９ａ、７９ｂ、７９ｃ等が設けられている。
【００８２】
ユーザａは、この画面で上記のソフトウェアボタンから任意の一つを選択する（Ｓ１４８）。名刺情報参照手段３７は、選択されたソフトウェアボタンに対応する検索キー番号を検索番号記憶エリア４５に記憶し（Ｓ１４９）、図１４（ｃ）の相手名刺検索画面８０を表示する（Ｓ１４９）。たとえば、ソフトウェアボタン７９ａが選択された場合、名刺情報参照手段３７は、対応する番号“１”を検索番号記憶エリア４５に記憶した後、相手名刺検索画面８０（図１４（ｃ））を表示する（Ｓ１４９）。
【００８３】
次にユーザは、検索データを入力するテキストボックス８０ａに、例えば“山田”という検索データを入力後「ＧＯ」と表記されたソフトウェアボタン８０ｂを選択する。名刺情報参照手段３７は、入力された検索データ“山田”を検索用データ記憶エリア４６に記憶する（Ｓ１５１）。名刺情報参照手段３７は、検索番号記憶エリア４５に記憶された検索キー番号に対応する項目”氏名”を検索キーテーブル４７を参照して取得し、検索用データ記憶エリア４６に記憶された検索キー”山田”で名刺情報記憶エリア４３を検索し、氏名に“山田”という文字を含む名刺情報を検索する（Ｓ１５２）。
【００８４】
名刺情報参照手段３７は、名刺情報の検索に成功した場合は（Ｓ１５３の判定がイエスの場合は）、名刺情報記憶エリア４３からその名刺情報を抽出し移動通信端末２０ａの表示装置２４に、図１４（ｄ）に示す画面８１を表示する（Ｓ１５５）。又、名刺情報の検索に失敗した場合は（Ｓ１５４の判定がイエスの場合は）、検索対象名刺情報が見つからない旨のメッセージを含む図１４（ｅ）に示す画面８２を移動通信端末２０ａの表示装置２４に表示する（Ｓ１５６）。検索の成功、失敗いずれの場合でも、ユーザは、「終了する」と表示されているソフトウェアボタン８１ａまたは８２ａを選択して処理を終わらせる。
【００８５】
（相手名刺最新情報の取得処理）
図１６は、移動通信端末２０ａと名刺管理サーバ装置５０とによって実行される相手名刺最新情報の取得処理画面を示した移動通信端末表示図である。
図１７は、移動通信端末２０ａと名刺管理サーバ装置５０とによって実行される相手名刺最新情報の取得プロセスを示すフローチャート図である。
以下では、図１６及び図１７を参照しながら、この処理について説明する。
【００８６】
まず、ユーザａは、移動通信端末２０ａを操作して名刺管理サーバ装置５０が記憶している名刺交換システム画面のＵＲＬを入力する。移動通信端末２０ａの最新情報取得手段３６は、この操作を受け付けると、上記ＵＲＬを含むＨＴＴＰリクエストを生成し、これを名刺管理サーバ装置５０に送信する。
【００８７】
さて、名刺管理サーバ装置５０の本人情報送信手段６６は、ＨＴＴＰリクエストを受信すると、このＨＴＴＰリクエストに含まれているＵＲＬに対応するＨＴＭＬデータを記憶部６８から読み出し、このＨＴＭＬデータを含むＨＴＴＰレスポンスを移動通信端末２０ａに送信する。
【００８８】
移動通信端末２０ａの最新情報取得手段３６は、受信したＨＴＴＰレスポンスに含まれるＨＴＭＬデータを解釈して図１６（ａ）に示すような名刺交換システム画面８３を表示する。この画面は、図１０（ａ）に示したものと同様である。
ユーザがこの画面で「４．相手名刺最新情報の取得」と表記されたソフトウェアボタン８３ｄを選択すると、最新情報取得手段３６は、図１６（ｂ）に示す名刺取得相手の検索キー選択画面８４を表示する。
ユーザａは、この画面でソフトウェアボタン８４ａ等の中から任意の一つを選択する（Ｓ１５７）。最新情報取得手段３６は、図１５のＳ１４９からＳ１５２と同様の手順で、ユーザにより指定された検索条件で、名刺情報記憶エリア４３を検索する（Ｓ１５８からＳ１６１）。
【００８９】
最新情報取得手段３６は、名刺情報の検索に成功した場合は（Ｓ１６２の判定がイエスの場合は）、名刺情報記憶エリア４３からその名刺情報を抽出し、名刺情報と「戻る」及び「送信する」と表示された選択ボタン８６ａ及び８６ｂを含む画面８６（図１６（ｄ））を移動通信端末２０ａの表示装置２４に表示する。
ここでユーザが「戻る」と表示されたソフトウェアボタン８６ａを選択した場合（Ｓ１６６の判定がノーの場合）、最新情報取得手段３６は、Ｓ１５８に戻り検索データの入力画面８５を再度表示する。
又、ユーザが「送信する」と表示されたソフトウェアボタン８６ｂを選択した場合（Ｓ１６６の判定がイエスの場合）、最新情報取得手段３６は、抽出した名刺情報を名刺管理サーバ装置５０に送信する（Ｓ１６７）。
【００９０】
名刺管理サーバ装置５０の最新情報送信手段６７は、受信した名刺情報のお客様識別コードと名刺情報ファイル６９のお客様識別コードを比較し（Ｓ１６８）、一致した場合（Ｓ１６９の判定がイエスの場合）、更に受信した名刺情報のリビジョン番号と名刺情報ファイル６９のリビジョン番号を比較する（Ｓ１７１）。
リビジョン番号が一致した、すなわち名刺情報が更新されていない場合（Ｓ１７２の判定がイエスの場合）、最新情報送信手段６７は、現在の名刺情報が最新版である旨のメッセージを移動通信端末２０ａに送信する（Ｓ１７３）。
【００９１】
移動通信端末２０の最新情報取得手段３６は、これを受けて現名刺情報が最新版である旨のメッセージ８７ｂを含む画面８７（図１６（ｅ））を移動通信端末２０ａの表示装置２４に表示し（Ｓ１７４）、ユーザは「終了する」ボタン８７ｄを選択して処理を終わらせる。
【００９２】
さて、“リビジョン番号”が一致しなかった、すなわち名刺情報が更新されている場合（Ｓ１７２の判定がノーの場合）、最新情報送信手段６７は、対象の名刺情報を移動通信端末２０ａに送信する（Ｓ１７５）。
移動通信端末２０ａは受信した名刺情報を名刺情報記憶エリア４３に転送し記憶したあと、表示装置２４に相手名刺情報を取り込んだ旨のメッセージ８７ａと「参照する」及び「終了する」と表記されたソフトウェアボタン８７ｃ及び８７ｄを含む画面８７を表示装置２４に表示する（Ｓ１７６）。ユーザが移動通信端末２０ａから「参照する」ボタン８７ｃを選択した場合、更新された名刺情報を含む画面８８を移動通信端末２０ａの表示装置２４に表示する（Ｓ１７８）。ユーザは表示された名刺情報を確認後「終了する」ボタン８８ａを押して処理を終わらせる。
【００９３】
上記名刺交換システム１によれば、移動通信端末２０から送信された名刺情報は、名刺管理サーバ装置５０により生成されたお客様識別コードと対応付けられて名刺情報ファイル６９に登録されている。
移動通信端末２０の本人情報取得手段３４は、ユーザ識別情報を名刺管理サーバ装置５０に送信し、その移動通信端末２０のユーザの名刺情報を受信する。このとき、受信した名刺情報は、お客様識別コードと対応付けて名刺情報記憶エリア４３に記憶する。また、受信したお客様識別コードは、システム登録済みお客様識別コード４４にも記憶しておく。
名刺情報交換手段３５は、他の移動通信端末２０との間で名刺情報を送受信し名刺情報を交換する。このとき、名刺情報交換手段３５は、システム登録済みお客様識別コード４４に記憶されたその端末のユーザ本人のお客様識別コードを検索キーとしてユーザ情報記憶エリア４３からユーザ本人の名刺情報を抽出し、この名刺情報を他の移動通信端末２０に送信する。
そのため、取得済みの他人の名刺情報をその他人以外の第三者の移動通信端末２０に送信することを防止することができる。
【００９４】
名刺交換システム１によれば、ユーザは、パーソナルコンピュータ１０を操作して、名刺情報をインターネット２を通じて簡単に名刺交換サーバ装置５０に登録することができる。また、名刺情報登録手段６４は、登録に成功した場合、生成したお客様識別コードをパーソナルコンピュータ１０に送信するから、ユーザは、名刺交換サーバ装置５０により割り当てられたお客様識別コードを名刺情報の登録後直ちに知ることができる。
【００９５】
名刺交換システム１によれば、名刺情報の交換は、公衆通信回線を経由せず２台の移動通信端末を直接接続する赤外線通信により行われる。
そのため、公衆通信回線を用いた場合に比べ、通信路上での第三者による名刺情報の盗聴や改ざんに対する安全性を高めることができる。
【００９６】
名刺交換システム１によれば、名刺管理サーバ装置５０は、名刺情報更新手段６５を備えているから、名刺情報ファイル６９には、常に最新の名刺情報が記憶されている。名刺管理サーバ装置５０は、移動通信端末２０から、取得済みの名刺情報の最新情報を要求されたときに、受信したリビジョン番号と名刺情報ファイル６９に記憶されているリビジョン番号とを比較して、移動通信端末２０に記憶されている名刺情報が最新のものか否かを判定し、移動通信端末２０に記憶されている名刺情報が最新のものでない場合にだけ、名刺情報を送信することができる。
そのため、名刺管理サーバ装置５０と移動通信端末２０との間で送受信するデータの量を削減することができる。
【００９７】
名刺交換システム１によれば、ユーザは、転勤等により名刺情報に変更が生じたときに、パーソナルコンピュータ１０を操作し、インターネット２を介して変更後の名刺情報を名刺交換サーバ装置５０に送信することができる。
そのため、名刺情報に生じた変更を早期に名刺情報ファイル６９に反映させることができる。
【００９８】
名刺交換システム１によれば、更新要求手段１８が名刺管理サーバ装置５０に送信する更新要求には、暗証番号が含まれているから、名刺管理サーバ装置５０の名刺情報更新手段６５は、要求を送信したユーザの本人認証を行うことができる。
そのため、お客様識別コードを入手した第三者により、名刺情報ファイル６９に登録されている名刺情報が不正に改ざんされることを防止することができる。
【図面の簡単な説明】
【００９９】
【図１】本発明の一実施形態である名刺交換システムの全体図である。
【図２】図２（ａ）は、名刺管理サーバ装置のハードウェア構成図である。図２（ｂ）は、名刺管理サーバ装置の機能ブロック図である。
【図３】名刺情報ファイルのデータ構造の例を示す図である。
【図４】図４（ａ）は、移動通信端末のハードウェア構成図である。図４（ｂ）は、移動通信端末の機能ブロック図である。
【図５】図５（ａ）は、パーソナルコンピュータのハードウェア構成図である。図５（ｂ）は、パーソナルコンピュータの機能ブロック図である。
【図６】名刺情報の登録／更新画面の例を示す図である。
【図７】名刺情報の登録／更新の完了通知画面の例を示す図である。
【図８】名刺交換システムの名刺情報の登録動作を示すフローチャートである。
【図９】名刺交換システムの名刺情報の更新動作を示すフローチャートである。
【図１０】図１０（ａ）ないし（ｄ）は、本人名刺情報の取込処理時に移動通信端末に表示される画面の例を示す図である。
【図１１】名刺交換システムの本人名刺情報の取込動作を示すフローチャートである。
【図１２】図１２（ａ）と図１２（ｂ）は、名刺情報の交換処理時に移動通信端末に表示される画面の例を示す図である。
【図１３】名刺交換システムの名刺情報の交換動作を示すフローチャートである。
【図１４】図１４（ａ）ないし（ｅ）は、名刺情報の参照処理時に移動通信端末に表示される画面の例を示す図である。
【図１５】名刺交換システムの名刺情報の参照動作を示すフローチャートである。
【図１６】図１６（ａ）ないし（ｆ）は、最新情報の取込処理時に移動通信端末に表示される画面の例を示す図である。
【図１７】名刺交換システムの最新データの取込動作を示すフローチャートである。
【符号の説明】
【０１００】
１  名刺交換システム
１０  パーソナルコンピュータ
１６  通信手段
１７  登録要求手段
１８  更新要求手段
１９  記憶部
２０  移動通信端末
３２  無線通信手段
３３  赤外線通信手段
３４  本人情報取得手段
３５  名刺情報交換手段
３６  最新情報取得手段
３７  名刺情報参照手段
４０  記憶部
４３  名刺情報記憶エリア
４４  システム登録済みお客様識別コード
５０  名刺管理サーバ装置
６２  通信手段
６３  データベースアクセス手段
６４  名刺情報登録手段
６５  名刺情報更新手段
６６  本人情報送信手段
６７  最新情報送信手段
６９  名刺情報ファイル
【図１】
2007249487.tif 000003
【図２】
2007249487.tif 000004
【図３】
2007249487.tif 000005
【図４】
2007249487.tif 000006
【図５】
2007249487.tif 000007
【図６】
2007249487.tif 000008
【図７】
2007249487.tif 000009
【図８】
2007249487.tif 000010
【図９】
2007249487.tif 000011
【図１０】
2007249487.tif 000012
【図１１】
2007249487.tif 000013
【図１２】
2007249487.tif 000014
【図１３】
2007249487.tif 000015
【図１４】
2007249487.tif 000016
【図１５】
2007249487.tif 000017
【図１６】
2007249487.tif 000018
【図１７】
2007249487.tif 000019